【手続補正書】
【提出日】平成18年5月2日(2006.5.2)
【手続補正１】
【補正対象書類名】明細書
【補正対象項目名】特許請求の範囲
【補正方法】変更
【補正の内容】
【特許請求の範囲】
【請求項１】  所定の印刷条件による、印刷用紙を使用した印刷要求を入力する印刷要求
入力手段と、
前記印刷要求に従って印刷される印刷用紙の印刷枚数を示す情報を取得する手段と、
所定のサイズの印刷用紙を何枚使用した場合にはどの種類のシンボルでその消耗量を象
徴するかを示す情報を含むデータファイルからなり、印刷枚数に応じて表示すべきシンボ
ルの識別情報を表示した環境資源消耗情報と、前記シンボルの識別記号と当該シンボルの
実際の画像データとを対応付けたシンボル画像データファイル、とを記憶した記憶手段と
、
前記環境資源消耗情報を参照して、前記印刷要求に従って印刷される印刷用紙の印刷枚
数に応じて、表示すべきシンボルの識別情報とシンボルの表示数を取得する消耗資源量算
出手段と、
前記シンボル画像データファイルを参照して、シンボルの実際の画像データを取得し、
前記印刷用紙の印刷枚数に応じた種類と数のシンボルを、予め定められたフォームに配列
して、表示すべき画像を生成する画像生成手段と、
前記画像生成手段が生成した画像を、表示装置に表示出力する表示制御手段とを備えた
ことを特徴とする印刷装置。
【請求項２】  請求項１に記載の印刷装置において、
前記表示制御手段は、前記印刷用紙への印刷実行中に、消耗資源量を象徴する画像を、
モニタ用ディスプレイに表示出力することを特徴とする印刷装置。
【請求項３】  請求項１に記載の印刷装置において、
前記表示制御手段は、前記印刷用紙の余白部分に、前記消耗資源量を象徴する画像を印
刷することを特徴とする印刷装置。
【請求項４】  所定の印刷条件による、印刷用紙を使用した印刷要求を入力する印刷要求
入力手段と、
前記印刷要求に従って印刷される印刷用紙の印刷枚数を示す情報を取得する手段と、
所定のサイズの印刷用紙を何枚使用した場合にはどの種類のシンボルでその消耗量を象
徴するかを示す情報を含むデータファイルからなり、印刷枚数に応じて表示すべきシンボ
ルの識別情報を表示した環境資源消耗情報と、前記シンボルの識別記号と当該シンボルの
実際の画像データとを対応付けたシンボル画像データファイル、とを記憶した記憶手段と
、
前記環境資源消耗情報を参照して、前記印刷要求に従って印刷される印刷用紙の印刷枚
数に応じて、表示すべきシンボルの識別情報とシンボルの表示数を取得する消耗資源量算
出手段と、
前記シンボル画像データファイルを参照して、シンボルの実際の画像データを取得し、
前記印刷用紙の印刷枚数に応じた種類と数のシンボルを、予め定められたフォームに配列
して、表示すべき画像を生成する画像生成手段と、
前記印刷要求に伴う印刷条件入力画面上に配置された、前記印刷枚数に応じた種類と数
のシンボルを配列した画像の生成と表示出力を要求する表示要求手段と、
前記表示要求手段の要求に従って、前記画像生成手段が生成した画像を、表示出力する
表示制御手段とを備えたことを特徴とする印刷装置。
【請求項５】  請求項１乃至４のいずれかに記載の印刷装置において、
前記印刷要求に応じて生成され、プリンタドライバからプリンタへ送信される、印刷デ
ータ中の、印刷用紙切り替え情報を監視して、印刷用紙の印刷枚数を示す情報を取得する
手段を備えたことを特徴とする印刷装置。
【請求項６】  印刷要求があったとき、利用者ごとに、使用した印刷用紙の枚数を含む印
刷情報を取得して、継続的に記憶する記憶手段と、
過去の指定された期間に、指定された利用者の印刷要求により使用した印刷用紙の、累
積印刷枚数を積算する手段と、
所定のサイズの印刷用紙を何枚使用した場合にはどの種類のシンボルでその消耗量を象
徴するかを示す情報を含むデータファイルからなり、印刷枚数に応じて表示すべきシンボ
ルの識別情報を表示した環境資源消耗情報と、前記シンボルの識別記号と当該シンボルの
実際の画像データとを対応付けたシンボル画像データファイル、とを記憶した記憶手段と
、
前記環境資源消耗情報を参照して、前記累積印刷枚数に応じて、表示すべきシンボルの
識別情報とシンボルの表示数を取得する消耗資源量算出手段と、
前記シンボル画像データファイルを参照して、シンボルの実際の画像データを取得し、
前記累積印刷枚数に応じた種類と数のシンボルを、予め定められたフォームに配列して、
表示すべき画像を生成する画像生成手段と、
前記画像生成手段が生成した画像と、前記累積印刷枚数と、累積印刷費用とを含む報告
書を、表示出力する表示制御手段とを備えたことを特徴とする印刷装置。
【請求項７】  印刷要求があったとき、利用者ごとに、使用した印刷用紙の枚数を含む印
刷情報を取得して、継続的に記憶する記憶手段と、
前記利用者ごとに、予め割り当てられた印刷用紙の使用枚数を記憶する手段と、
過去の指定された期間に、指定された利用者の印刷要求により使用した印刷用紙の、累
積印刷枚数を積算する手段と、
前記利用者ごとに割り当てられた印刷用紙の使用枚数から、前記累積印刷枚数を差し引
いた、残り割り当て枚数を算出する手段と、
所定のサイズの印刷用紙を何枚使用した場合にはどの種類のシンボルでその消耗量を象
徴するかを示す情報を含むデータファイルからなり、印刷枚数に応じて表示すべきシンボ
ルの識別情報を表示した環境資源消耗情報と、前記シンボルの識別記号と当該シンボルの
実際の画像データとを対応付けたシンボル画像データファイル、とを記憶した記憶手段と
、
前記環境資源消耗情報を参照して、前記累積印刷枚数に応じて、表示すべきシンボルの
識別情報とシンボルの表示数を取得する消耗資源量算出手段と、
前記シンボル画像データファイルを参照して、シンボルの実際の画像データを取得し、
前記累積印刷枚数に応じた種類と数のシンボルを、予め定められたフォームに配列して、
表示すべき画像を生成する画像生成手段と、
前記画像生成手段が生成した画像とともに、前記残り割り当て枚数を算出した結果を表
示出力する表示制御手段を備えたことを特徴とする印刷装置。
【請求項８】  設定した印刷条件による印刷要求に従って印刷データを生成する手段と、
生成された前記印刷データをプリンタに送信する前に一時的に保持する記憶装置と、
この記憶装置に保持された前記印刷データの内容を解析して印刷用紙の印刷枚数を示す
情報を取得する手段と、
所定のサイズの印刷用紙を何枚使用した場合にはどの種類のシンボルでその消耗量を象
徴するかを示す情報を含むデータファイルからなり、印刷枚数に応じて表示すべきシンボ
ルの識別情報を表示した環境資源消耗情報と、前記シンボルの識別記号と当該シンボルの
実際の画像データとを対応付けたシンボル画像データファイル、とを記憶した記憶手段と
、
前記環境資源消耗情報を参照して、前記印刷要求に従って印刷される印刷用紙の印刷枚
数に応じて、表示すべきシンボルの識別情報とシンボルの表示数を取得する消耗資源量算
出手段と、
前記シンボル画像データファイルを参照して、シンボルの実際の画像データを取得し、
前記印刷用紙の印刷枚数に応じた種類と数のシンボルを、予め定められたフォームに配列
して、表示すべき画像を生成する画像生成手段と、
前記画像生成手段が生成した画像を、表示装置に表示出力する表示制御手段と、
前記設定した印刷条件で印刷する場合には前記記憶装置に記憶させた前記印刷データを
プリンタに転送し、前記設定した印刷条件を変更する場合には前記記憶装置に記憶させた
前記印刷データを無効にして新たな印刷条件による印刷要求に従って印刷データを生成さ
せる手段を備えたことを特徴とする印刷装置。
【請求項９】  コンピュータを、
所定の印刷条件による、印刷用紙を使用した印刷要求を入力する印刷要求入力手段と、
前記印刷要求に従って印刷される印刷用紙の印刷枚数を示す情報を取得する手段と、
所定のサイズの印刷用紙を何枚使用した場合にはどの種類のシンボルでその消耗量を象
徴するかを示す情報を含むデータファイルからなり、印刷枚数に応じて表示すべきシンボ
ルの識別情報を表示した環境資源消耗情報と、前記シンボルの識別記号と当該シンボルの
実際の画像データとを対応付けたシンボル画像データファイル、とを記憶した記憶手段と
、
前記環境資源消耗情報を参照して、前記印刷要求に従って印刷される印刷用紙の印刷枚
数に応じて、表示すべきシンボルの識別情報とシンボルの表示数を取得する消耗資源量算
出手段と、
前記シンボル画像データファイルを参照して、シンボルの実際の画像データを取得し、
前記印刷用紙の印刷枚数に応じた種類と数のシンボルを、予め定められたフォームに配列
して、表示すべき画像を生成する画像生成手段と、
前記画像生成手段が生成した画像を、表示装置に表示出力する表示制御手段、
として機能させる印刷装置制御プログラム。
【請求項１０】  それぞれ環境資源の消耗量の異なる印刷方法を実行するための印刷用紙
を収納した複数の用紙供給カセットと、
前記各用紙供給カセットの印刷用紙使用量を取得する手段と、
前記各用紙供給カセットの前記印刷用紙の使用により消耗される環境資源の消耗量を示
す情報を算出する演算手段に対して、前記カセットごとの印刷用紙使用量を通知する手段
とを備えたことを特徴とするプリンタ。
【手続補正２】
【補正対象書類名】明細書
【補正対象項目名】０００４
【補正方法】変更
【補正の内容】
【０００４】
【課題を解決するための手段】
本発明は次の構成により上記の課題を解決する。
〈構成１〉
所定の印刷条件による、印刷用紙を使用した印刷要求を入力する印刷要求入力手段と、
上記印刷要求に従って印刷される印刷用紙の印刷枚数を示す情報を取得する手段と、所定
のサイズの印刷用紙を何枚使用した場合にはどの種類のシンボルでその消耗量を象徴する
かを示す情報を含むデータファイルからなり、印刷枚数に応じて表示すべきシンボルの識
別情報を表示した環境資源消耗情報と、上記シンボルの識別記号と当該シンボルの実際の
画像データとを対応付けたシンボル画像データファイル、とを記憶した記憶手段と、上記
環境資源消耗情報を参照して、上記印刷要求に従って印刷される印刷用紙の印刷枚数に応
じて、表示すべきシンボルの識別情報とシンボルの表示数を取得する消耗資源量算出手段
と、
上記シンボル画像データファイルを参照して、シンボルの実際の画像データを取得し、上
記印刷用紙の印刷枚数に応じた種類と数のシンボルを、予め定められたフォームに配列し
て、表示すべき画像を生成する画像生成手段と、上記画像生成手段が生成した画像を、表
示装置に表示出力する表示制御手段とを備えたことを特徴とする印刷装置。
【手続補正３】
【補正対象書類名】明細書
【補正対象項目名】０００６
【補正方法】変更
【補正の内容】
【０００６】
〈構成２〉
構成１に記載の印刷装置において、上記表示制御手段は、上記印刷用紙への印刷実行中
に、消耗資源量を象徴する画像を、モニタ用ディスプレイに表示出力することを特徴とす
る印刷装置。
【手続補正４】
【補正対象書類名】明細書
【補正対象項目名】０００８
【補正方法】変更
【補正の内容】
【０００８】
〈構成３〉
構成１に記載の印刷装置において、上記表示制御手段は、上記印刷用紙の余白部分に、
上記消耗資源量を象徴する画像を印刷することを特徴とする印刷装置。
【手続補正５】
【補正対象書類名】明細書
【補正対象項目名】００１０
【補正方法】変更
【補正の内容】
【００１０】
〈構成４〉
所定の印刷条件による、印刷用紙を使用した印刷要求を入力する印刷要求入力手段と、
上記印刷要求に従って印刷される印刷用紙の印刷枚数を示す情報を取得する手段と、所定
のサイズの印刷用紙を何枚使用した場合にはどの種類のシンボルでその消耗量を象徴する
かを示す情報を含むデータファイルからなり、印刷枚数に応じて表示すべきシンボルの識
別情報を表示した環境資源消耗情報と、上記シンボルの識別記号と当該シンボルの実際の
画像データとを対応付けたシンボル画像データファイル、とを記憶した記憶手段と、上記
環境資源消耗情報を参照して、上記印刷要求に従って印刷される印刷用紙の印刷枚数に応
じて、表示すべきシンボルの識別情報とシンボルの表示数を取得する消耗資源量算出手段
と、
上記シンボル画像データファイルを参照して、シンボルの実際の画像データを取得し、上
記印刷用紙の印刷枚数に応じた種類と数のシンボルを、予め定められたフォームに配列し
て、表示すべき画像を生成する画像生成手段と、上記印刷要求に伴う印刷条件入力画面上
に配置された、上記印刷枚数に応じた種類と数のシンボルを配列した画像の生成と表示出
力を要求する表示要求手段と、上記表示要求手段の要求に従って、上記画像生成手段が生
成した画像を、表示出力する表示制御手段とを備えたことを特徴とする印刷装置。
【手続補正６】
【補正対象書類名】明細書
【補正対象項目名】００１４
【補正方法】変更
【補正の内容】
【００１４】
〈構成６〉
印刷要求があったとき、利用者ごとに、使用した印刷用紙の枚数を含む印刷情報を取得
して、継続的に記憶する記憶手段と、過去の指定された期間に、指定された利用者の印刷
要求により使用した印刷用紙の、累積印刷枚数を積算する手段と、所定のサイズの印刷用
紙を何枚使用した場合にはどの種類のシンボルでその消耗量を象徴するかを示す情報を含
むデータファイルからなり、印刷枚数に応じて表示すべきシンボルの識別情報を表示した
環境資源消耗情報と、上記シンボルの識別記号と当該シンボルの実際の画像データとを対
応付けたシンボル画像データファイル、とを記憶した記憶手段と、上記環境資源消耗情報
を参照して、上記累積印刷枚数に応じて、表示すべきシンボルの識別情報とシンボルの表
示数を取得する消耗資源量算出手段と、上記シンボル画像データファイルを参照して、シ
ンボルの実際の画像データを取得し、上記累積印刷枚数に応じた種類と数のシンボルを、
予め定められたフォームに配列して、表示すべき画像を生成する画像生成手段と、上記画
像生成手段が生成した画像と、上記累積印刷枚数と、累積印刷費用とを含む報告書を、表
示出力する表示制御手段とを備えたことを特徴とする印刷装置。
【手続補正７】
【補正対象書類名】明細書
【補正対象項目名】００１６
【補正方法】変更
【補正の内容】
【００１６】
〈構成７〉
印刷要求があったとき、利用者ごとに、使用した印刷用紙の枚数を含む印刷情報を取得
して、継続的に記憶する記憶手段と、上記利用者ごとに、予め割り当てられた印刷用紙の
使用枚数を記憶する手段と、過去の指定された期間に、指定された利用者の印刷要求によ
り使用した印刷用紙の、累積印刷枚数を積算する手段と、上記利用者ごとに割り当てられ
た印刷用紙の使用枚数から、上記累積印刷枚数を差し引いた、残り割り当て枚数を算出す
る手段と、所定のサイズの印刷用紙を何枚使用した場合にはどの種類のシンボルでその消
耗量を象徴するかを示す情報を含むデータファイルからなり、印刷枚数に応じて表示すべ
きシンボルの識別情報を表示した環境資源消耗情報と、上記シンボルの識別記号と当該シ
ンボルの実際の画像データとを対応付けたシンボル画像データファイル、とを記憶した記
憶手段と、上記環境資源消耗情報を参照して、上記累積印刷枚数に応じて、表示すべきシ
ンボルの識別情報とシンボルの表示数を取得する消耗資源量算出手段と、上記シンボル画
像データファイルを参照して、シンボルの実際の画像データを取得し、上記累積印刷枚数
に応じた種類と数のシンボルを、予め定められたフォームに配列して、表示すべき画像を
生成する画像生成手段と、上記画像生成手段が生成した画像とともに、上記残り割り当て
枚数を算出した結果を表示出力する表示制御手段を備えたことを特徴とする印刷装置。
【手続補正８】
【補正対象書類名】明細書
【補正対象項目名】００１８
【補正方法】変更
【補正の内容】
【００１８】
〈構成８〉
設定した印刷条件による印刷要求に従って印刷データを生成する手段と、生成された上
記印刷データをプリンタに送信する前に一時的に保持する記憶装置と、この記憶装置に保
持された上記印刷データの内容を解析して印刷用紙の印刷枚数を示す情報を取得する手段
と、所定のサイズの印刷用紙を何枚使用した場合にはどの種類のシンボルでその消耗量を
象徴するかを示す情報を含むデータファイルからなり、印刷枚数に応じて表示すべきシン
ボルの識別情報を表示した環境資源消耗情報と、上記シンボルの識別記号と当該シンボル
の実際の画像データとを対応付けたシンボル画像データファイル、とを記憶した記憶手段
と、上記環境資源消耗情報を参照して、上記印刷要求に従って印刷される印刷用紙の印刷
枚数に応じて、表示すべきシンボルの識別情報とシンボルの表示数を取得する消耗資源量
算出手段と、上記シンボル画像データファイルを参照して、シンボルの実際の画像データ
を取得し、上記印刷用紙の印刷枚数に応じた種類と数のシンボルを、予め定められたフォ
ームに配列して、表示すべき画像を生成する画像生成手段と、上記画像生成手段が生成し
た画像を、表示装置に表示出力する表示制御手段と、上記設定した印刷条件で印刷する場
合には上記記憶装置に記憶させた上記印刷データをプリンタに転送し、上記設定した印刷
条件を変更する場合には上記記憶装置に記憶させた上記印刷データを無効にして新たな印
刷条件による印刷要求に従って印刷データを生成させる手段を備えたことを特徴とする印
刷装置。
【手続補正９】
【補正対象書類名】明細書
【補正対象項目名】００２０
【補正方法】変更
【補正の内容】
【００２０】
〈構成９〉
コンピュータを、所定の印刷条件による、印刷用紙を使用した印刷要求を入力する印刷
要求入力手段と、上記印刷要求に従って印刷される印刷用紙の印刷枚数を示す情報を取得
する手段と、所定のサイズの印刷用紙を何枚使用した場合にはどの種類のシンボルでその
消耗量を象徴するかを示す情報を含むデータファイルからなり、印刷枚数に応じて表示す
べきシンボルの識別情報を表示した環境資源消耗情報と、上記シンボルの識別記号と当該
シンボルの実際の画像データとを対応付けたシンボル画像データファイル、とを記憶した
記憶手段と、上記環境資源消耗情報を参照して、上記印刷要求に従って印刷される印刷用
紙の印刷枚数に応じて、表示すべきシンボルの識別情報とシンボルの表示数を取得する消
耗資源量算出手段と、上記シンボル画像データファイルを参照して、シンボルの実際の画
像データを取得し、上記印刷用紙の印刷枚数に応じた種類と数のシンボルを、予め定めら
れたフォームに配列して、表示すべき画像を生成する画像生成手段と、上記画像生成手段
が生成した画像を、表示装置に表示出力する表示制御手段、として機能させる印刷装置制
御プログラム。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】変更
【補正の内容】
【００２６】
〈構成１０〉
それぞれ環境資源の消耗量の異なる印刷方法を実行するための印刷用紙を収納した複数
の用紙供給カセットと、上記各用紙供給カセットの印刷用紙使用量を取得する手段と、上
記各用紙供給カセットの上記印刷用紙の使用により消耗される環境資源の消耗量を示す情
報を算出する演算手段に対して、上記カセットごとの印刷用紙使用量を通知する手段とを
備えたことを特徴とするプリンタ。